(57)【要約】【課題】冷却停止時に生じがちな野菜室内での結露を解消して野菜等を良好に冷却保存できる冷蔵庫の提供。【解決手段】野菜室等に冷気を供給循環させる冷却ファン１９と、前記冷却ファンとは別に野菜室内に設けた野菜室ファン５３と、前記野菜室ファンを制御する制御部６８とを備え、前記制御部は、前記野菜室への冷気供給を停止しているときに野菜室ファンを駆動する冷却均一化モードを有する構成としてある。これにより、野菜室ファンの回転によって野菜室内の冷気を拡散または及び循環させ、野菜室内背面下部近傍と扉側との温度を均一化して、冷却室からの冷輻射に起因する結露発生を防止することができると同時に、冷却室からの冷輻射を冷却源として野菜室内の野菜等を良好に冷却保存できる。【選択図】図２１
2015121387.tif 000002
【特許請求の範囲】
【請求項１】
冷蔵室、野菜室、冷凍室に冷気を循環させる冷却ファンと、前記冷却ファンとは別に前記野菜室内に冷気を取り込むとともに同野菜室内で冷気を循環させる野菜室ファンと、前記野菜室ファンを制御する制御部とを備え、前記制御部は前記野菜室への冷気供給を停止しているときに野菜室ファンを駆動する野菜室冷却均一化モードを有する冷蔵庫。
【請求項２】
制御部は、野菜室に冷気を供給して当該野菜室を冷却しているときにも野菜室ファンを駆動する野菜室冷却モードをさらに有する冷蔵庫。
【請求項３】
制御部は、圧縮機と冷却ファン停止時には野菜室ファンも停止させるファン停止モードをさらに有する請求項１または２記載の冷蔵庫。
【請求項４】
野菜室温度検知手段を備え、制御部は、野菜室冷却モード時であって前記野菜室温度検知手段の検出温度が適温範囲以上の場合に野菜室ファンを駆動する構成とした請求項２または３記載の冷蔵庫。
【請求項５】
野菜室温度検知手段を備え、制御部は、前記野菜室温度検知手段の検出温度が適温範囲以下あるいは野菜室温度の上昇度合いが所定値以下の場合、あるいは外気温度検知手段を有していて当該外気温度検知手段の検出温度が所定値以下の場合に野菜室ファンを停止する構成とした請求項１〜３のいずれか１項記載の冷蔵庫。
【請求項６】
野菜室温度検知手段を備え、制御部は、少なくとも野菜室冷却モード時は前記野菜室温度検知手段からの検出温度に基づいて野菜室ファンを可変速制御する構成とし、前記野菜室温度検知手段からの検出温度が第一温度より高いと前記野菜室ファンを通常回転で駆動し、前記第一温度より高く設定した第二温度より高いと前記野菜室ファンを高速回転で駆動する請求項２または３記載の冷蔵庫。
【請求項７】
制御部は、野菜室ファンの運転／停止を所定時間ごとに繰り返す構成とした請求項１〜３のいずれか１項記載の冷蔵庫。
【発明の詳細な説明】
【技術分野】
【０００１】
本発明は冷蔵庫、特にその冷蔵庫の野菜室冷却構成に関するものである。
【背景技術】
【０００２】
一般に家庭用冷蔵庫は、冷蔵庫本体内に温度帯域の異なる複数の貯蔵室、例えば、冷蔵室、野菜室、冷凍室を設けて構成してある。そして、上記冷蔵室、野菜室、冷凍室のレイアウトはユーザの使用実態に合わせ大きく二分されており、その一つはユーザが最も使用しやすい冷蔵庫本体の上下略中央部分に冷凍室を配置するタイプであり、もう一つは同部分に野菜室を配置するタイプである。
【０００３】
前記冷蔵庫本体の上下略中央部分に冷凍室を配置するタイプの冷蔵庫は今日の冷蔵庫の主流となってきており、生活スタイルの変化に伴って冷凍食品を多用するユーザにとって使い勝手の良いものとなっていて、数多くのものが提案されている（例えば、特許文献１参照）。
【０００４】
図３４は特許文献１記載の冷蔵庫を示し、この冷蔵庫は冷蔵庫本体１００の上部に冷蔵室１０１、下部に野菜室１０２を有し、これら両室の間となる冷蔵庫本体１００の上下略中央部分に冷凍室１０３が配置してある。そしてこの冷蔵庫は冷蔵庫本体１００の野菜室１０２と冷凍室１０３とにまたがってその背面に冷却室１０４を設け、この冷却室１０４に冷却器１０５と冷却ファン１０６を配置して、当該冷却器１０５で生成した冷気を前記冷却ファン１０６により冷蔵室１０１、野菜室１０３、冷凍室１０２に供給し循環させ、これら各室に貯蔵されている食品を冷却保存するようになっている。
【０００５】
また、冷蔵庫本体の上下略中央部分に野菜室を配置するタイプの冷蔵庫は真ん中野菜冷蔵庫と略称され、野菜等の出し入れを中心に使用されるユーザに使い勝手が良いとして提案されている（例えば、特許文献２参照）。
【０００６】
図３５は特許文献２に記載されている冷蔵庫を示し、この冷蔵庫は冷蔵庫本体２００の上部に冷蔵室２０１、下部に冷凍室２０２を有し、これら両室の間となる冷蔵庫本２００の上下略中央部分に野菜室２０３が配置してある。そしてこの冷蔵庫も前記と同様、冷蔵庫本体２００の冷凍室２０２と野菜室２０３とにまたがってその背面に冷却室２０４を設け、この冷却室２０４に冷却器２０５と冷却ファン２０６を配置して、当該冷却器２０５で生成した冷気を前記冷却ファン２０６により冷蔵室２０１、野菜室２０３、冷凍室２０２に供給し循環させ、これら各室に貯蔵されている食品を冷却保存するようになっている。
【０００７】
そして、上記いずれのタイプの冷蔵庫も、冷却室で生成した冷気は冷蔵室経由で野菜室に循環させ、この循環冷気によって野菜室内に収納した野菜を冷却保存している。
【先行技術文献】
【特許文献】
【０００８】
【特許文献１】特開２０１０−６０２５８号公報
【特許文献２】特開平９−１１３１０９号公報
【発明の概要】
【発明が解決しようとする課題】
【０００９】
しかしながら、上記従来の特許文献１、特許文献２記載の冷蔵庫の野菜室冷却構成は、
何れも野菜の冷却保存中に野菜室１０３，２０３に結露が生じることがあり、そのような場合この中に収納している野菜を劣化させてしまうという課題があった。
【００１０】
すなわち、野菜室１０３，２０３はその背面に位置する冷却室１０４，２０４から冷輻射を受けおり、冷却ファン１０６，２０６による冷気循環が停止された状態では前記冷却室１０４，２０４からの冷輻射のため野菜室１０３，２０３の背面付近の温度が低温化しやすく、一方では外気温の影響を受けて野菜室１０３，２０３の扉側の温度は上昇しがちで、これら両者間に温度差が生じ、そのため結露が生じていたのであった。
【００１１】
また、冷却ファンによる冷気循環を行っている冷却時でも、前記野菜室１０３，２０３へ供給される冷気は冷蔵室からの戻り冷気を分流させて成り行き供給するようになっているため、野菜室内に供給される量が少ないうえに、野菜室内での流れも弱いものとなっている。したがって、外気温が高くなる夏場や、野菜室１０３，２０３に一時的に多くの野菜或いはキャベツ等の大きな野菜等が収納された時のような場合には、この外気温や野菜が持つ熱の影響によって扉付近や野菜近傍の温度が上昇し、前記冷却室１０４，２０４からの冷輻射によって低温化する野菜室背部付近との間にどうしても温度差が生じ野菜室内の冷気が野菜収納ケースの壁面等に結露し始めるのであった。
【００１２】
そしてまた、上記外気温や、購入してきた野菜等の温度が比較的高くなりがちな夏場においては、野菜室内全体の温度が高目になりがちであり、その結果、野菜等を十分冷却保存できなくなって、野菜の劣化が早まると同時に、ユーザに対し冷蔵庫が冷えないという印象を与えて、冷蔵庫に対する信頼性を低下させてしまうという恐れもあった。
【００１３】
特に最近の冷蔵庫では、野菜室１０３，２０３に飲料水やお茶、ジュース類の大型のペットボトルやパックも収納するようになってきており、しかも、そのペットボトル等は野菜に比べ常温であることが多いうえに熱容量が大きいため、野菜室１０３，２０３に収納された際、その収納直後から野菜及びペットボトル等の熱の影響を受けて前記冷却室１０４，２０４からの冷輻射による低温化部分との温度差が大きくなりやすく、野菜室内冷気の結露による野菜劣化問題や夏場における冷却不足問題が顕在化する傾向にあった。
【００１４】
そしてさらに、真ん中野菜と略称される冷蔵庫においては、野菜室２０３の底面がその下方に位置する冷凍室２０２からも冷輻射を受けるため、この冷凍室２０２からの冷輻射との相乗作用により野菜室２０３の背面下部近傍がより低温化しやすく、野菜室内冷気の結露による野菜劣化問題や夏場における冷却不足問題が顕在化しやすかった。
【００１５】
本発明はこのような点に鑑みてなしたもので、まずは冷却停止時に生じがちな野菜室内での結露を解消して野菜等を良好に冷却保存できる冷蔵庫を提供することを目的としたものである。
【課題を解決するための手段】
【００１６】
本発明は、上記目的を達成するため、冷蔵室、野菜室、冷凍室に冷気を循環させる冷却ファンと、前記冷却ファンとは別に前記野菜室内に冷気を取り込むとともに同野菜室内で冷気を循環させる野菜室ファンと、前記野菜室ファンを制御する制御部とを備え、前記制御部は前記野菜室への冷気供給を停止しているときに野菜室ファンを駆動する野菜室冷却均一化モードを有する構成としてある。
【００１７】
これにより、この冷蔵庫では野菜室の冷却動作を停止しているときでも野菜室ファンの回転によって野菜室内の冷気を拡散または及び循環させ、野菜室内背面下部近傍と扉側との温度を均一化して、冷却室からの冷輻射による温度差を解消し、冷却室からの冷輻射に起因する結露発生を防止することができるとともに、冷却室からの冷輻射によって低温化
している背面下部近傍の低温を冷却源として野菜室内を低温に冷却保持することもできる。
【発明の効果】
【００１８】
本発明の冷蔵庫は、野菜室の冷却停止時に生じがちな野菜室内での結露発生を抑制すると同時に野菜室内を低温に冷却保持可能となり、良好な状態で野菜を冷却保存する信頼性の高い冷蔵庫とすることができる。
【図面の簡単な説明】
【００１９】
【図１】本発明の実施の形態１における冷蔵庫の正面図
【図２】同実施の形態１における冷蔵庫の扉を開いた時の正面図
【図３】同実施の形態１における冷蔵庫を示す図２のＡ−Ａ断面図
【図４】同実施の形態１における冷蔵庫を示す図２のＢ−Ｂ断面図
【図５】同実施の形態１における冷蔵庫の半裁斜視図
【図６】同実施の形態１における冷蔵庫の冷気流れを説明するための概略断面図
【図７】同実施の形態１における冷蔵庫の冷気流れを説明する概略正面図
【図８】同実施の形態１における冷蔵庫の冷却室背面部分の冷気流れを説明する斜視図
【図９】同実施の形態１における冷蔵庫を示す図３の要部拡大断面図
【図１０】同図９における冷気流れを説明するための概略断面図
【図１１】同実施の形態１における冷蔵庫を示す図４の要部拡大断面図
【図１２】同図１１における冷気流れを説明するための概略断面図
【図１３】同実施の形態１における冷蔵庫の野菜室と冷凍室を示す拡大正面図
【図１４】同図１３に示す冷蔵庫の野菜室と冷凍室の背面に設置された冷却ファンと冷却器を示す拡大正面図
【図１５】同実施の形態１における冷蔵庫の野菜室と冷凍室の背面壁部分を示す拡大斜視図
【図１６】同図１５に示す冷蔵庫の野菜室の背面壁部分を構成する奥面仕切壁ブロックの斜視図
【図１７】同図１６に示す野菜室の背面壁部分を構成する奥面仕切壁ブロックの分解斜視図
【図１８】同図１３に示す冷凍室の背面壁部分を構成するブロックの分解斜視図
【図１９】同実施の形態１における冷蔵庫の貯蔵室と野菜室を仕切る仕切板と冷却ファンの斜視図
【図２０】同実施の形態１における冷蔵庫の野菜収納ケースを示す斜視図
【図２１】同実施の形態１における冷蔵庫の制御ブロック図
【図２２】同実施の形態１における冷蔵庫の野菜室冷却動作を説明するフローチャート
【図２３】同実施の形態１における冷蔵庫の野菜室冷却動作を示すタイミングチャート図
【図２４】同実施の形態２における冷蔵庫の野菜室冷却動作を説明するフローチャート
【図２５】同実施の形態２における冷蔵庫の野菜室冷却動作を示すタイミングチャート図
【図２６】同実施の形態３における冷蔵庫の野菜室冷却動作を説明するフローチャート
【図２７】同実施の形態３における冷蔵庫の野菜室冷却動作を示すタイミングチャート図
【図２８】同実施の形態４における冷蔵庫の野菜室冷却動作を説明するフローチャート
【図２９】同実施の形態５における冷蔵庫の野菜室冷却動作を説明するフローチャート
【図３０】同実施の形態６における冷蔵庫の野菜室冷却動作を説明するフローチャート
【図３１】同実施の形態６における冷蔵庫の野菜室冷却動作を示すタイミングチャート図
【図３２】同実施の形態７における冷蔵庫の野菜室冷却動作を説明するフローチャート
【図３３】同実施の形態７における冷蔵庫の野菜室冷却動作を示すタイミングチャート図
【図３４】従来の冷蔵庫の概略断面図
【図３５】同従来の他の冷蔵庫の概略断面図
【発明を実施するための形態】
【００２０】
第１の発明は、冷蔵室、野菜室、冷凍室に冷気を循環させる冷却ファンと、前記冷却ファンとは別に前記野菜室内に冷気を取り込むとともに同野菜室内で冷気を循環させる野菜室ファンと、前記野菜室ファンを制御する制御部とを備え、前記制御部は前記野菜室への冷気供給を停止しているときに野菜室ファンを駆動する野菜室冷却均一化モードを有する構成としてある。
【００２１】
これにより、この冷蔵庫では野菜室の冷却動作を停止しているときでも野菜室ファンの回転によって野菜室内の冷気を拡散または及び循環させ、野菜室内背面下部近傍と扉側との温度を均一化して、冷却室からの冷輻射による温度差を解消し、冷却室からの冷輻射に起因する結露発生を防止することができるとともに、冷却室からの冷輻射によって低温化している背面下部近傍の低温を冷却源として野菜室内を低温に冷却保持することもできる。
【００２２】
第２の発明は、第１の発明において、制御部は、野菜室に冷気を供給して当該野菜室を冷却しているときにも野菜室ファンを駆動する野菜室冷却モードをさらに有する構成としてある。
【００２３】
これにより、野菜室を冷却しているときに冷蔵室からの戻り冷気等の冷気を野菜室ファンの回転によって野菜室内に強制吸引供給することができ、野菜室内に流れる冷気の量を多くすると同時に野菜室内での冷気の流れもより強いものとして、野菜室内を良好に冷却し、かつ結露発生を効果的に防止することが可能となる。
【００２４】
第３の発明は、第１または第２の発明において、制御部は、圧縮機と冷却ファン停止時には野菜室ファンも停止させるファン停止モードをさらに有する構成としてある。
【００２５】
これにより、圧縮機及び冷却ファンが停止している冷蔵庫の冷却運転停止中に野菜室ファンが回転してその動作音を使用者が不審に思うことを解消でき、冷蔵庫に対する信頼性を損なうことを未然防止することができる。
【００２６】
第４の発明は、第２または第３の発明において、野菜室温度検知手段を備え、制御部は、野菜室冷却モード時であって前記野菜室温度検知手段の検出温度が適温範囲以上の場合に野菜室ファンを駆動する構成としてある。
【００２７】
これにより、野菜室を冷却ファンの送風により冷却していても野菜室温度が高く結露発生しやすいときに野菜室ファンを回転させるので、野菜室内の冷却と結露発生抑制を効率よく行うことができる。
【００２８】
第５の発明は、第１〜第３の発明において、野菜室温度検知手段を備え、制御部は、前記野菜室温度検知手段の検出温度が適温範囲以下あるいは野菜室温度の上昇度合いが所定値以下の場合、あるいは外気温度検知手段を有していて当該外気温度検知手段の検出温度が所定値以下の場合に野菜室ファンを停止する構成としてある。
【００２９】
これにより、野菜室が適温で、結露発生の恐れも少ないときには野菜室ファンを停止させて、無駄な電力消費を抑制しつつ野菜室の冷却と結露発生抑制をすることができる。
【００３０】
第６の発明は、第２または第３の発明において、野菜室温度検知手段を備え、制御部は、少なくとも野菜室冷却モード時は前記野菜室温度検知手段からの検出温度に基づいて野菜室ファンを可変速制御する構成とし、前記野菜室温度検知手段からの検出温度が第一温度より高いと前記野菜室ファンを通常回転で駆動し、前記第一温度より高く設定した第二温度より高いと前記野菜室ファンを高速回転で駆動する構成としてある。
【００３１】
これにより、野菜室内の温度が第二温度より高い高めとなっていて結露が発生しやすいときは、野菜室ファンを高速回転させて野菜室内へ吸引供給する冷気の量と流れを大きくし急速に野菜室内を冷却することができ、野菜室の冷却と結露発生抑制を効率よく行うことができる。
【００３２】
第７の発明は、第１〜第３の発明において、制御部は、野菜室ファンの運転／停止を所定時間ごとに繰り返す構成としてある。
【００３３】
これにより、野菜室温度検知手段等を設けることなく簡単に野菜室内の冷却と結露発生抑制を実現することができ、冷蔵庫のコストアップを抑えることができる。
【００３４】
以下、本発明の実施の形態について、図面を参照しながら説明する。尚、この実施の形態ではいわゆる真ん中野菜と略称されるタイプの冷蔵庫を例にして説明するが、これによって、本発明が限定されるものではない。
【００３５】
（実施の形態１）
図１は本発明の実施の形態１における冷蔵庫の正面図、図２は同実施の形態１における冷蔵庫の扉を開いた時の正面図、図３は同実施の形態１における冷蔵庫を示す図２のＡ−Ａ断面図、図４は同実施の形態１における冷蔵庫を示す図２のＢ−Ｂ断面図、図５は同実施の形態１における冷蔵庫の半裁斜視図、図６は同実施の形態１における冷蔵庫の冷気流れを説明するための概略断面図、図７は同実施の形態１における冷蔵庫の冷気流れを説明する概略正面図、図８は同実施の形態１における冷蔵庫の冷却室背面部分の冷気流れを説明する斜視図、図９は同実施の形態１における冷蔵庫を示す図３の要部拡大断面図、図１０は同図９における冷気流れを説明するための概略断面図、図１１は同実施の形態１における冷蔵庫を示す図４の要部拡大断面図、図１２は同図１１における冷気流れを説明するための概略断面図、図１３は同実施の形態１における冷蔵庫の野菜室と冷凍室を示す拡大正面図、図１４は同図１３に示す冷蔵庫の野菜室と冷凍室の背面に設置された冷却ファンと冷却器を示す拡大正面図、図１５は同実施の形態１における冷蔵庫の野菜室と冷凍室の背面壁部分を示す拡大斜視図、図１６は同図１５に示す冷蔵庫の野菜室の背面壁部分を構成する奥面仕切壁ブロックの斜視図、図１７は同図１６に示す野菜室の背面壁部分を構成する奥面仕切壁ブロックの分解斜視図、図１８は同図１６に示す冷凍室の背面壁部分を構成するブロックの分解斜視図、図１９は同実施の形態１における冷蔵庫の貯蔵室と野菜室を仕切る仕切板と冷却ファンの斜視図、図２０は同実施の形態１における冷蔵庫の野菜収納ケースを示す斜視図、図２１は同実施の形態１における冷蔵庫の制御ブロック図、図２２は同実施の形態１における冷蔵庫の野菜室冷却動作を説明するフローチャート、図２３
は同実施の形態１における冷蔵庫の野菜室冷却動作を示すタイミングチャート図である。
【００３６】
まず、冷蔵庫の全体構成について説明する。
【００３７】
＜冷蔵庫本体構成＞
図１〜図６において、本実施の形態に係る冷蔵庫は、前方を開口した冷蔵庫本体１を備え、この冷蔵庫本体１は、図３等に示すように主に鋼板を用いた外箱２と、ＡＢＳなどの硬質樹脂で成型された内箱３と、前記外箱２と内箱３との間に発泡充填された硬質発泡ウレタンなどの発泡断熱材４とから構成されている。冷蔵庫本体１は、仕切板５．６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００３８】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３９】
また、冷蔵庫本体１の背面には冷気を生成する冷却室１６が設けられている。この冷却室１６は冷凍室９の背面から野菜室８の下部背面に渡って形成されており、野菜室８との間は発泡スチロール等によって断熱性を持たせた奥面仕切壁体１７を設けて断熱仕切りしている。
【００４０】
冷却室１６内には冷却器１８が配設されており、冷却器１８の上部には冷却ファン１９が配置されている。前記冷却ファン１９は、冷却器１８により冷却された冷気を冷蔵室７、野菜室８、冷凍室９に強制循環させて各室を冷却するものである。例えば、冷蔵室７は食品が凍らない程度の温度通常１℃〜５℃に冷却し、野菜室８は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００４１】
上記冷却ファン１９は図１９に示すように野菜室８と冷却室１６とを仕切る仕切板６に組み付け、この仕切板６を冷蔵庫本体１の内箱３にセットすることによって取り付けてある。この状態で上記冷却ファン１９は図９に示すように野菜室８の背面と対向する部分に位置し、野菜室８との間を仕切る奥面仕切壁体１７に向けて冷気を送風し、野菜室下部背面に強い冷輻射をもたらす。
【００４２】
また、前記冷却器１８の下部空間には、図９等に示すように冷却器１８やその周辺に付着する霜や氷を除霜する除霜ヒータ２８が配置されている。除霜ヒータ２８の下部には除霜時に生じる除霜水を受けるためのドレンパン２９が配置され、除霜水はドレンパン２９の最深部から図示しないドレンチューブを介して庫外の蒸発皿に排出するようになっている。
【００４３】
次に冷気循環構成について説明する。
【００４４】
＜冷気循環通路構成＞
冷気を生成する冷却室１６は、図９等に示すように前記した奥面仕切壁体１７と冷蔵庫本体１との間に形成されている冷却室冷気搬送路３０に冷却ファン１９の下流が開口しており、この冷却室冷気搬送路３０を介して各室に冷気を送風する。
【００４５】
冷却室冷気搬送路３０の上部は図７、図８、図１０、特に図１０に示すように冷蔵室ダンパ３１を介して冷蔵室７の背面略中央部に形成されている冷蔵冷気往き通路３２と連通している。冷蔵冷気往き通路３２の側方には図７、図８に示すように冷蔵室７からの冷蔵冷気戻り通路３３が隣接設置されていて、その下部は野菜室８、冷却室１６に連通している。
【００４６】
冷蔵室７には図７に示すようにその奥壁上部適所に冷蔵冷気往き通路３２の冷蔵冷気入口３５が設けてあり、同奥壁下部適所には前記冷蔵冷気戻り通路３３へ開口する冷蔵冷気戻り口３６が設けられていて、冷却室１６からの冷気は冷蔵室ダンパ３１を介して冷蔵冷気往き通路３２に供給され、その冷蔵冷気入口３５から冷蔵室７に供給される。一方、冷蔵室冷却後の冷気は冷蔵冷気戻り口３６から冷蔵冷気戻り通路３３を介して野菜室８に供給され、かつ冷却室１６へと循環する。また、この冷蔵室７には後述するようにその下部にパーシャル室が設けられていて、当該パーシャル室には図８に示すようにパーシャル室ダンパ３１ａ、パーシャル室冷気往き通路３２ａ、パーシャル室冷気入口３５ａを介して供給されるようになっている。
【００４７】
この実施の形態では、同図８から明らかなように、前記奥面仕切壁体１７と仕切板６の背面に、前記冷却室冷気搬送路３０と冷蔵冷気往き通路３２及びパーシャル室冷気往き通路３２ａとを連絡する往き通路３７と、冷蔵冷気戻り通路３３と野菜室８、冷却室１６とを連絡する戻り通路３８が形成されていて、前記冷蔵室ダンパ３１はこの往き通路３７に設けられている。
【００４８】
そして、前記冷蔵冷気往き通路３２と冷蔵冷気戻り通路３３との間に連通路３９が形成されていて、冷蔵冷気往き通路３２を流れる低温冷気の一部が冷蔵冷気戻り通路３３に混入するように構成されている。
【００４９】
また、冷凍室９の背面には図８に示すように前記冷却室１６の冷却器１８の側方を下向きに延びる冷気戻りダクト４０が設けられており、この冷気戻りダクト４０の上部が上記戻り通路３８を介して野菜室８に連通するとともにその下部が冷却室１６の下部近傍に開口していて、前記野菜室８冷却後の冷気が冷気戻りダクト４０を介してその下部開口から冷却室１６へと循環するように構成されている。
【００５０】
一方、冷凍室９は図１０に示すようにその背面壁体４１の上部に前記奥面仕切壁体１７背面の冷却室冷気搬送路３０下部に連通する冷凍冷気入口４２が、下部に前記冷却室１６の下部に開口する冷凍冷気戻り口４３が形成されていて、冷却室１６からの冷気が冷却室冷気搬送路３０下部から冷凍冷気入口４２を介して供給され、冷凍室冷却後の冷気が冷凍冷気戻り口４３を介して冷却室１６へと循環する。
【００５１】
＜野菜室構成＞
野菜室８は図７、図８、図１２に示すように奥壁左右いずれか一方寄り部分、この実施の形態では正面から見て右側部分の下部であって前記冷蔵冷気戻り通路３３からの戻り通路３８部分に開口した野菜冷気入口４４が設けられ、この野菜冷気入口４４の略上方位置部分に前記戻り通路３８に開口して冷却室１６へとつながる野菜冷気戻り口４６が設けられている。
【００５２】
さらにこの野菜室８には、特に図１２に示すように当該野菜室８背面の奥面仕切壁体１７を利用して前記冷気の戻り通路３８の前面位置に上下方向に野菜室通路部５０が縦設形成されている。この野菜室通路部５０はその下部が野菜冷気入口４４と連通していて、この野菜冷気入口４４と連通する部分にプロペラファン等からなる野菜室ファン５３が配置してある。
【００５３】
さらにまた、この野菜室８には上記野菜室通路部５０の上部及び野菜冷気戻り口４６につながるよう野菜室上面に前方に向かって第一の通路４７ａが形成されていて、その前方部分には第一の野菜冷気吸込み口４７が設けられている。
【００５４】
加えてこの実施の形態の野菜室８には図１３、図１６等に示すようにその奥の面となる奥面仕切壁体１７の上部であって前記野菜冷気入口４４の対角位置となる部分、この実施の形態では左奥側上部に、第二の野菜冷気吸込み口５１が設けられており、この第二の野菜冷気吸込み口５１を備えた第二の通路５１ａも図１２に示すように前記野菜室通路部５０の上部と野菜冷気戻り口４６に連通している。
【００５５】
図１７は上記野菜室通路部５０を形成している奥面仕切壁体１７の分解斜視図で、野菜室通路部５０は発泡スチロール（図示せず）を介して重合させた前仕切板１７ａと後仕切板１７ｂとの間に形成されており、その上端部分５０ａは図１２に示すように前記第二の通路５１ａとも連通するように開口している。さらにこの野菜室通路部５０の下部には既に述べたように野菜室ファン５３が組み込まれており、その吹出口５４は野菜室８内に開口していて、野菜冷気入口４４からの冷気と第一の野菜冷気吸込み口４７及び第二の野菜冷気吸込み口５１からの野菜室冷気を野菜室８内に送風するようになっている。
【００５６】
上記野菜室ファン５３の吹出口５４は後述する野菜収納ケース４８の後面に向かって開口しており、野菜室ファン５３からの冷気が下段野菜収納ケース４９ａの下面空間へと集中的に流れる様に構成されている。
【００５７】
なお、上記野菜室８には、図１１等に示すように野菜収納ケース４８が配置されており、この野菜収納ケース４８は扉１１のフレームに載置された下段野菜収納ケース４９ａと、下段野菜収納ケース４９ａの上に載置された上段野菜収納ケース４９ｂとから構成されている。そして上記野菜室８は上記野菜収納ケース４８とその下の仕切板６及び野菜室８の内周壁面との間に空間が設けられ、当該空間は前記野菜冷気入口４４からの冷気が流れる風路を構成している。
【００５８】
また、上記野菜収納ケース４８の上段野菜収納ケース４９ｂの上部開口縁は野菜室８上部の仕切板５と近接した部分に位置するとともに前記野菜冷気入口４４より上方部分に位置していて、野菜冷気入口４４からの冷気が野菜収納ケース４８の上段野菜収納ケース４９ｂ及び下段野菜収納ケース４９ａ内に直接入り込むことがないように構成されている。上段野菜収納ケース４９ｂの上部開口にこれを閉塞する蓋を設けて冷気の野菜収納ケース４８内への侵入をより確実に防止するようにしてもよい。
【００５９】
また、下段野菜収納ケース４９ａは図２１に示すようにケース仕切板５８によって左右に分割されており、前記野菜冷気入口４４と対向する側、この実施の形態では右側部分を一段深くしてペットボトルやパック等の非野菜収納部（以下、ペットボトル等収納部と称す）５９としてある。なお、このペットボトル等収納部５９は野菜室８内を前後に仕切ってその前側部分をペットボトル等収納部としてもよい。
【００６０】
＜冷蔵室構成＞
冷蔵室７は図４等に示すように内部に複数の収納棚６０を有するとともに、準冷凍温度帯に冷却できるパーシャル室６１を備え、それぞれの適所に既に述べた冷蔵冷気入口３５及び冷蔵冷気戻り口３６（いずれも図７参照）が設けられている。そして、冷蔵室７の側壁適所には各室の庫内温度設定や製氷および急速冷却などの設定を行う操作部６２が配置されている。
【００６１】
＜冷凍室構成＞
また。冷凍室９は既に図１０を用いて述べたようにその奥壁上部に前記奥面仕切壁体１７背面の冷却室冷気搬送路３０下部と連通する冷凍冷気入口４２が形成され、さらに奥壁下部に前記冷凍室９に連通する冷凍冷気戻り口４３が形成されている。そして構造図には図示していないが、冷却室１６から冷凍室９への通路の適所にも冷凍室ダンパ３４を組み込んでもよい。なお、この冷凍室９にも、図４等に示すようにその扉１２のフレームに載置された冷凍室ケース６３が設けられており、更にその冷凍室ケース６３の上部には製氷装置６４が組み込まれている。
【００６２】
次にこの冷蔵庫の制御構成について説明する。
【００６３】
＜制御構成＞
図２２は本実施の形態の冷蔵庫における制御ブロック図を示し、６５は冷蔵室温度検知手段、６６は野菜室温度検知手段、６７は冷凍室温度検知手段で、いずれもサーミスタで形成してあり、それぞれ冷蔵室７、野菜室８、冷凍室９の適所に設置されている。６８は冷蔵庫全体を統括制御する制御部で、マイクロコンピュータ等によって構成してあり、前記冷蔵室温度検知手段６５、冷凍室温度検知手段６７からの出力に基づきあらかじめ組み込まれた制御ソフトにしたがって冷蔵室ダンパ３１、冷凍室ダンパ３４を開閉制御するとともに、圧縮機１５、冷却ファン１９を駆動して各室を設定温度に制御する。さらにこの制御部６８は冷蔵室温度検知手段６５及び野菜室温度検知手段６６からの出力に基づき野菜室８の野菜室通路部５０に組み込んだ野菜室ファン５３の運転を制御するようになっている。具体的には後述する。
【００６４】
以上のように構成された冷蔵庫について、以下その動作、作用を説明する。
【００６５】
まず、冷凍サイクルの動作について説明する。
【００６６】
庫内の設定された温度に応じて制御部６８からの信号により冷凍サイクルが動作し冷却運転が行われる。圧縮機１５の動作により吐出された高温高圧の冷媒は、凝縮器（図示せず）である程度凝縮液化し、さらに冷蔵庫の側面や背面、また冷蔵庫の前面間口に配設された冷媒配管（図示せず）などを経由し冷蔵庫の結露を防止しながら凝縮液化し、キャピラリーチューブ（図示せず）に至る。その後、キャピラリーチューブでは圧縮機１５への吸入管（図示せず）と熱交換しながら減圧されて低温低圧の液冷媒となって冷却室の冷却器１８に至る。
【００６７】
ここで、前記冷却器１８内の冷媒は蒸発気化し、当該冷却器１８を有する冷却室１６で各貯蔵室を冷却するための冷気が生成される。
【００６８】
次に冷気循環による冷却動作について説明する。
【００６９】
冷却室１６内で生成された低温の冷気は、冷却ファン１９によって、冷却室冷気搬送路３０から冷蔵室７と冷凍室９に送られ、冷蔵室７に供給された冷気は冷蔵室７を冷却した後、その戻り冷気の一部が野菜室８に供給され、それぞれの室が設定温度に冷却される。そして、各室を冷却したのちの冷気は、再び冷却室１６に戻って冷却器１８により冷却され、冷却ファン１９で各室に循環していく。また、上記各室への冷気供給は、制御部６８が冷蔵室温度検知手段６５及び冷凍室温度検知手段６７の検出温度に基づき圧縮機１５と冷却ファン１９を運転／停止、及び冷蔵室ダンパ３１、冷凍室ダンパ３４を開・閉制御し、それぞれの室が設定温度帯に維持されるようになっている。
【００７０】
次に、本発明の特徴となる野菜室８の冷却動作について詳しく説明する。
【００７１】
まず、野菜室の冷気流れについて説明する。
【００７２】
野菜室８は既に述べたように冷蔵室７を冷却した後の戻り冷気によって冷却されるもので、冷蔵冷気戻り通路３３からの冷蔵室冷却後の冷気が図１２に示すように冷気の戻り通路３８に設けられている野菜冷気入口４４から供給される。この冷気は冷却ファン１９の送風圧によって成り行き供給されて野菜冷気入口４４から野菜室通路部５０に入り、野菜室ファン５３を介し緩やかに野菜室８に流れ込む。そして、野菜収納ケース４８の外周と野菜室８の内周壁との間の空間を流れ、野菜収納ケース４８内に収納されている野菜やペットボトル等をケース外周から間接的に冷却し、野菜冷気戻り口４６から冷蔵冷気戻り通路３３を経由して冷気戻りダクト４０から冷却室１６へと循環する。
【００７３】
ここで、上記野菜室ファン５３を回転させると、前記野菜冷気入口４４から多くの冷気が野菜室内の野菜室通路部５０内へと吸引され、野菜室ファン５３の吹出口５４より野菜室８内の下段野菜収納ケース４９ａ後面に向かって供給されることになる。
【００７４】
野菜室８の下段野菜収納ケース４９ａに向かって供給された冷気は、下段野菜収納ケース４９ａ及び上段野菜収納ケース４９ｂと野菜室８の底面及び内周壁との間の空間を前記冷却ファン１９の送風圧によって成り行き供給される際の流れよりも早く流れ、野菜冷気戻り口４６から戻り通路３８を介して冷却室１６へと戻り循環する。その際、冷気の一部は野菜室８の上部に設けた第一の野菜冷気吸込み口４７及び第二の野菜冷気吸込み口５１より第一の通路４７ａ及び第二の通路５１ａに吸引され、これらの通路と連通している野菜室通路部５０の上部開口から野菜室ファン５３に吸引されて当該野菜室ファン５３の吹出口５４から再び野菜室８内の下段野菜収納ケース４９ａに向けて供給され、野菜室８内を拡散または及び循環する。
【００７５】
この野菜室ファン５３によって野菜室８内を拡散または及び循環する冷気は、野菜室８の背面に位置する冷却室１６からの冷輻射および下方に位置する冷凍室９からの冷輻射によって低温化しやすい野菜室背面下部付近の低温冷気と外気温によって上昇しがちな扉側の比較的高い温度の冷気とを拡散混合させ、冷却室１６や冷凍室９からの冷輻射が原因となる結露発生を抑制することができる。また、多くの冷気を取り込んで拡散または循環させることにより野菜室内を効率よく低温に冷却保持することができる。これにより、野菜等を結露水によって劣化させることなく良好な状態で冷却保存することが可能となる。
【００７６】
特にこの実施の形態で例示したように野菜室８を冷蔵庫本体１の上下略中央部分に設けた真ん中野菜室タイプの冷蔵庫にあっては、野菜室８が冷凍室９からの冷輻射も受けてその背面下部近傍の温度がさらに低温化しやすいため効果的である。
【００７７】
次に上記野菜室の冷却動作制御について図２２、図２３を用いて説明する。
【００７８】
図２２は実施の形態１における野菜室冷却動作を説明するフローチャート、図２３は同野菜室冷却動作を示すタイミングチャート図である。
【００７９】
まず、冷蔵庫はその冷蔵室７あるいは冷凍室９の温度、例えば冷凍室９の温度が設定温度以上であると、冷凍室温度検知手段６７からの出力に基づき制御部６８が図２２のスタート以降に示すように圧縮機１５と冷却ファン１９を駆動し（Ｓ１）、かつ冷凍室ダンパ３４と冷蔵室ダンパ３１及びパーシャル室ダンパ（以下、説明簡略化のため本発明の対象となる野菜室８への冷気供給を制御する冷蔵室ダンパ３１を例にして説明する）を開いて（Ｓ２）、冷却器１８で生成した冷気を冷凍室９、冷蔵室７等とともに野菜室８に供給し、冷蔵室７、野菜室８、冷凍室９を冷却する。この時、野菜室８は冷却ファン１９の送風
圧による成り行き状態での冷気供給によって穏やかに冷却されている。
【００８０】
この状態、すなわち野菜室８が成り行き冷気で冷却されている状態でこの冷蔵庫は、制御部６８が野菜室ファン５３を駆動して野菜室冷却モード（Ｓ３）を実行する。これにより、前記冷気流れで説明したように冷蔵室７からの戻り冷気が野菜室ファン５３に吸引され、多くの戻り冷気が野菜室８に強制供給される。そしてこの冷気は前記した如く野菜室内を拡散または及び循環して野菜室内背面下部近傍の低温冷気と野菜室扉付近の比較的高い温度の冷気を拡散混合して均一化し、冷却室１６からの冷輻射による温度差を解消して、当該冷輻射に起因する結露発生を防止すると同時に、多くの冷気を成り行き供給する場合より強く拡散または循環させることによって野菜室内を効率よく低温に冷却保持する。
【００８１】
また、この状態で時間が経過して冷蔵室７が設定温度まで冷却されると、制御部６８が冷蔵室ダンパ３１を閉じ（Ｓ２−Ｎ）、冷蔵室７とともに野菜室８への冷気供給を止めて野菜室８の冷気供給による冷却状態を停止する。そして圧縮機１５と冷却ファン１９の運転状態を確認し（Ｓ４）、圧縮機１５と冷却ファン１９が運転を継続（Ｓ４−Ｎ）、すなわち冷凍室９が冷却され続けているときには、野菜室ファン５３は図２３のａで示すように冷蔵室ダンパ３１のオフと連動して一時的に停止するもののその後再び回転を継続して野菜室内の冷気を拡散または循環させる野菜室冷却均一化モードを実行する（Ｓ５）。
【００８２】
なお、（Ｓ１）（Ｓ４）で圧縮機１５と冷却ファン１９の運転・停止を判定条件としているが、電源投入時や除霜運転後に圧縮機の運転に前後して冷却ファンを運転する場合もあり、圧縮機１５のみの運転・停止を判定条件としてもよい。
【００８３】
この野菜室冷却均一化モードは、冷却ファン１９から冷蔵室７を介して野菜室８に循環する戻り冷気供給がされず戻り冷気による野菜室冷却が行なわれないときでも、野菜室内の冷気を野菜室内で拡散または及び循環して野菜室内背面下部近傍の低温冷気と野菜室扉付近の比較的高い温度の冷気を拡散混合し野菜室内の温度を均一化すると同時に、野菜室背面下部近傍の低温を冷却源として野菜室内を若干ではあるが冷却し続ける。
【００８４】
したがって、野菜室８が、外気温からの熱の影響を受けたり、多量に収納された野菜からの熱の影響を受けたり、或いはペットボトル等からの熱の影響を受けていても、野菜室内の温度上昇を抑制して低温に維持でき、野菜やペットボトル等を良好に冷却保存することができる。また、野菜室内の温度を均一化することによって冷却室１６からの冷輻射によって生じがちな結露発生を防止することができる。すなわち、冷却ファン１９からの冷気供給による冷却停止時であっても、野菜室８の結露防止と野菜室冷却を両立することができる。
【００８５】
一方、前記冷蔵室７、野菜室８への冷気供給停止時に圧縮機１５と冷却ファン１９も運転を停止している場合（Ｓ４−Ｙ）には、野菜室ファン５３も運転を停止し、野菜室ファン停止モード（Ｓ６）となる。これにより、圧縮機１５と冷却ファン１９が止まっている冷蔵庫の運転停止中に野菜室ファン５３が回転してその動作音を使用者が不審に思うようなことを解消でき、冷蔵庫に対する信頼性を損なうことを未然防止することができる。
【００８６】
（実施の形態２）
本実施の形態は、前記実施の形態１の野菜室冷却動作に野菜室温度要素を加えて野菜室ファン５３を制御するようにしたもので、図２４は実施の形態２における冷蔵庫の野菜室冷却動作を説明するフローチャート、図２５は同野菜室冷却動作を示すタイミングチャート図である。なお、前記実施の形態１と同一部分は同一符号を付記して説明は省略し、異なる部分のみ説明する。また、構成は先の実施の形態１で示したものと同様であり、それらの図面を代用するとともに説明は省略する。
【００８７】
この実施の形態では、野菜室冷却モードを行う際、（Ｓ２−Ｙ）で示す冷蔵室ダンパ３１を開いた後、野菜室温度を確認し（Ｓ７）、野菜室温度が適温範囲より高い場合（Ｓ７−Ｙ）に野菜室冷却モードを行う（Ｓ３）。したがって、野菜室８を冷却ファンの送風により冷却していても野菜室温度が高く結露発生しやすいときにのみ野菜室ファンを回転させるようになるので、野菜室内の冷却と結露発生抑制を効率よく行うことができる。また、野菜室８の温度が適温範囲内になると（Ｓ７−Ｎ）、図２５の破線ｂで示すように野菜室ファン５３を止めて野菜室ファン停止モードとし（Ｓ６）、冷却ファン１９からの送風圧による成り行き冷却となる。したがって、野菜室８が適温になって、結露発生の恐れも少ないときには、野菜室ファン５３が停止し、野菜室８の冷却と結露発生抑制を維持しつつ無駄な電力消費を抑制することができる。
【００８８】
なお、（Ｓ２−Ｎ）で示す冷蔵室ダンパ３１を閉じて野菜室８の冷却を停止した後の、圧縮機１５と冷却ファン１９の運転状態確認（Ｓ４）以降の動作は、前記実施の形態１と同様であり、圧縮機１５と冷却ファン１９の運転が継続されているとき（（Ｓ４−Ｎ）冷凍室９の冷却が継続しているとき）には、野菜室温度とは関係なく野菜室ファン５３は回転して野菜室冷却均一化モードＳ５を行い、圧縮機１５と冷却ファン１９が停止している（Ｓ４−Ｙ）ときには野菜室ファン５３も停止させて野菜室ファン停止モード（Ｓ６）とする。これにより、前記実施の形態１と同様、戻り冷気による野菜室冷却が停止していて温度上昇しがちなときは、常に野菜室内の冷気を拡散およびまたは循環させて冷却及び均一化を図り、野菜室８を確実に冷却保持するとともに結露発生を抑制することができる。
【００８９】
（実施の形態３）
本実施の形態は、前記実施の形態２の野菜室冷却均一化モード中にも野菜室温度要素を加えて野菜室ファン５３の制御を行うようにしたもので、図２６は実施の形態２における場合の野菜室冷却動作を説明するフローチャート、図２７は同野菜室冷却動作を示すタイミングチャート図である。なお、前記実施の形態２と同一部分は同一符号を付記して説明は省略し、異なる部分のみ説明する。また、構成は先の実施の形態１で示したものと同様であり、それらの図面を代用するとともに説明は省略する。
【００９０】
この実施の形態では、野菜室冷却均一化モードのとき、すなわち、（Ｓ２−Ｎ）で示す冷蔵室ダンパ３１を閉じて野菜室８の冷却を停止し圧縮機１５と冷却ファン１９が運転（Ｓ４−Ｎ）して冷凍室９の冷却を継続しているときにも、制御部６８は野菜室温度を確認し（Ｓ８）、野菜室温度が適温範囲より高いと（Ｓ８−Ｙ）、野菜室ファン５３を回転して野菜室冷却均一化モード（Ｓ５）を実行し、野菜室温度が適温範囲内になると（Ｓ８−Ｎ）、野菜室ファン５３を止めて野菜室ファン停止モードとし（Ｓ６）、冷却ファン１９からの送風圧による成り行き冷却となる。したがって、野菜室冷却均一化モードのときでも、野菜室８が適温になって、結露発生の恐れも少ないときには、野菜室ファン５３が停止し、野菜室８の冷却と結露発生抑制を維持しつつ無駄な電力消費を抑制することができる。
【００９１】
さらにこの制御では野菜室冷却均一化モードに入った後も野菜室温度を確認し（Ｓ９）、図２７のｃで示すように野菜室温度が適温範囲より低い温度帯になると（Ｓ９−Ｙ）、野菜室ファン５３の回転を停止させて野菜室ファン停止モード（Ｓ６）となる。
【００９２】
これにより、野菜室冷却均一化モード時でも、野菜室８が適温で、結露発生の恐れが少ないときには、野菜室ファン５３を停止させて、無駄な電力消費を抑制すると同時に、野菜室８内を過冷状態にして野菜を劣化させてしまうようなことを防止できる。
【００９３】
なお、この野菜室温度が適温範囲より低くなったことを確認（Ｓ９）して野菜室ファン
停止モード（Ｓ６）とする動作は、野菜室冷却モード時（Ｓ３）にも行ってもよいものであり、野菜冷却均一化モード時と同様、無駄な電力消費を抑制しつつ冷気強制取り込みによる野菜室８の過冷を防止し、野菜を劣化させてしまうようなことを防止できる。
【００９４】
（実施の形態４）
本実施の形態は、前記実施の形態３で示したステップ（Ｓ８）の野菜室温度での判断を野菜室の温度変化度合いで行わせるようにしたものである。
【００９５】
図２８はこの実施の形態４における冷蔵庫の野菜室冷却動作を説明するフローチャートを示し、実施の形態３で示したステップ（Ｓ８）を野菜室８の温度変化度合いを確認（Ｓ１０）するようにしたものである。
【００９６】
すなわち、（Ｓ４−Ｎ）で示すように圧縮機１５と冷却ファン１９が運転しているときこの実施の形態では野菜室８の温度変化度合いを確認（Ｓ１０）し、これがあらかじめ定められている所定値より大きいときは（Ｓ１０−Ｙ）、野菜室ファン５３を回転して野菜室冷却均一化モード（Ｓ５）を実行し、所定値より小さいときは（Ｓ１０−Ｎ）、野菜室ファン５３を止め野菜室冷却均一化モードを停止して野菜室ファン停止モード（Ｓ６）とするものである。これにより前記実施の形態３と同様の効果が得られる。
【００９７】
（実施の形態５）
本実施の形態は、前記実施の形態３で示したステップ（Ｓ８）の野菜室温度での判断を外気温によって行わせるようにしたものである。
【００９８】
図２９はこの実施の形態５における冷蔵庫の野菜室冷却動作を説明するフローチャートを示し、実施の形態３で示したステップ（Ｓ８）を外気温度の確認（Ｓ１１）にしたものである。
【００９９】
すなわち、（Ｓ４−Ｎ）で示すように圧縮機１５と冷却ファン１９が運転しているときこの実施の形態では外気温度を確認（Ｓ１１）し、これが所定値より高いときは（Ｓ１１−Ｙ）、野菜室ファン５３を回転して野菜室冷却均一化モード（Ｓ５）を実行し、所定値より低いときは（Ｓ１１−Ｎ）、野菜室ファン５３を止めて野菜室冷却均一化モードを停止し野菜室ファン停止モード（Ｓ６）となるものである。これにより前記実施の形態３と同様の効果が得られる。
【０１００】
（実施の形態６）
本実施の形態は、前記各実施の形態で例示した野菜室ファン５３を可変速制御可能とし、特に野菜室冷却モード時における野菜室ファン５３の回転を可変速制御するようにしたもので、図３０は図２４に示す実施の形態２に適用したときの野菜室冷却動作を示すフローチャート、図３１は同野菜室冷却動作を示すタイミングチャート図である。なお、前記実施の形態２と同一部分は同一符号を付記して説明は省略し、異なる部分のみ説明する。また、構成は先の実施の形態１で示したものと同様であり、それらの図面を代用するとともに説明は省略する。
【０１０１】
この実施の形態では、野菜室冷却モード時において（Ｓ１２）で野菜室温度を検出した際、野菜室温度が第一温度より高いと（Ｓ１２−Ｙ）、更にその温度が第一温度より高く設定した第二温度よりも高いかを確認し（Ｓ１３）、第二温度より高い場合は（Ｓ１３−Ｙ）野菜室ファン５３を高速回転させる野菜室冷却モード強（Ｓ１４）を実行し、そうでない場合（Ｓ１３−Ｎ）は弱で回転させて野菜室冷却モード弱（Ｓ１５）を実行する。
【０１０２】
これにより、野菜室内の温度が第二温度より高くなっていて野菜が劣化しやすく結露発
生も生じやすいときは、野菜室ファン５３を高速回転させて野菜室内へ吸引供給する冷気の量と流れを大きくし図３１のｄに示すように急速に野菜室内を冷却することができ、野菜室８の冷却と結露発生抑制を効率よく行うことができる。
【０１０３】
なお、その他の作用効果は先の図２４の実施の形態２と同様で説明は省略する。
【０１０４】
（実施の形態７）
この実施の形態のものは、前記各実施の形態で例示した野菜室冷却モードと野菜室冷却均一化モードを所定時間ごとに繰り返す構成としたものである。
【０１０５】
図３２は実施の形態７における野菜室冷却動作のフローチャート、図３３は同野菜室冷却動作を示すタイミングチャート図である。
【０１０６】
図３２の（Ｓ１７）と（Ｓ１８）及び図３３のｅとｆから明らかなようにこの実施の形態では、野菜室冷却モード及び野菜室冷却均一化モードのいずれの場合もタイムカウントＳ１６を始めて当該野菜室冷却モード及び野菜室冷却均一化モードを所定時間ごとに繰り返すので、野菜室温度検知手段等を設けて野菜室冷却モードや野菜室冷却均一化モードを制御する必要がなく、冷蔵庫のコストアップを抑えつつ野菜室内の冷却と結露発生抑制を実現することができる。
【０１０７】
なお、この実施の形態も前記各実施の形態と同一部分は同一符号を付記して説明は省略し、異なる部分のみ説明する。また、構成も先の実施の形態１で示したものと同様であり、それらの図面を代用するとともに説明は省略する。
【０１０８】
以上のようにこの冷蔵庫は野菜室の冷却停止時に生じがちな野菜室内での結露発生を抑制すると同時に野菜室内を低温に冷却保持することができ、良好な状態で野菜を冷却保存することができるものであるが、更にこの冷蔵庫は野菜室冷却に関してさらに次のような効果も有するので、以下これを説明しておく。
【０１０９】
まず、この実施の形態では上記野菜室ファン５３は野菜収納ケース４８の下段野菜収納ケース４９ａ及び上段野菜収納ケース４９ｂの外周に向けて冷気を拡散または及び循環させるから、野菜室ファン５３によって拡散または及び循環する冷気が下段野菜収納ケース４９ａ及び上段野菜収納ケース４９ｂ内に入って野菜同士の間を流れることを抑制でき、野菜同士の間を冷気が流れることによって生じがちな野菜の乾燥劣化も防止して新鮮かつ良好な状態で野菜を冷却保存することができる。
【０１１０】
特にこの実施の形態では上記下段野菜収納ケース４９ａ及び上段野菜収納ケース４９ｂで構成される野菜収納ケース４８の上部に野菜室内を拡散または循環する冷気の吸込み口ともなる第一の野菜冷気吸込み口４７及び第二の野菜冷気吸込み口５１を設けているから、野菜室８内を拡散または及び循環する冷気は下段野菜収納ケース４９ａ及び上段野菜収納ケース４９ｂからなる野菜収納ケース４８内に入り込むことなくそのまま第一の野菜冷気吸込み口４７及び第二の野菜冷気吸込み口５１へと流れる様になり、より確実に野菜の乾燥劣化を防止して新鮮かつ良好な状態で野菜を冷却保存することができる。これは上段野菜収納ケー４９スの上面開口縁を野菜室天井面ともなる仕切板５に近接させることでより高めることができるとともに、当該上面面開口を覆う蓋を設ければさらに効果的に高めることができる。
【０１１１】
加えて、上記野菜室ファン５３は下段野菜収納ケース４９ａ及び上段野菜収納ケース４９ｂで構成される野菜収納ケース４８の上部開口縁より下方部分に位置しているから、野菜室ファン５３から送風される冷気は野菜収納ケース４８のうち、特にその下段野菜収納
ケース４９ａの底面及び下部外周付近を拡散または及び循環するようになる。したがって、この野菜室ファン５３によって拡散または及び循環する冷気はさらに野菜収納ケース４８内に入り込みにくいものとなり、野菜収納ケース４８内に冷気が入り込んで循環することにより生じる野菜の乾燥劣化をこの点からも確実に防止することができ、より新鮮かつ良好な状態で野菜を冷却保存することができる。
【０１１２】
また、上記野菜室８は野菜冷気入口４４に連通する野菜室通路部５０を有し、この野菜室通路部５０の下部に野菜室ファン５３を備えているから、野菜室通路部５０がスロートのような機能を発揮して冷気を効率よく野菜室８に取り込み拡散または及び循環させることができ、これにより野菜室８内での結露発生をさらに効率よく抑制することができる。
【０１１３】
加えて、この実施の形態では上記野菜収納ケース４８はその下段野菜収納ケース４９ａの内部を左右に仕切ってその一方にペットボトルやパック等のペットボトル等収納部５９を設け、このペットボトル等収納部５９側の野菜室背面部分に野菜室ファン５３を設けて、当該ペットボトル等収納部５９に向けて野菜室内の冷気を拡散または及び循環させるように構成してあるから、野菜室ファン５３からの冷気はペットボトル等収納部５９の周りを集中的に循環するようになり、ペットボトル等収納部５９に収納されているペットボトルやパック等を効率よく冷却することができる。特にペットボトル等収納部５９に収納されているペットボトルやパック等の飲料水等は野菜よりも熱容量が大きくて冷えにくいことから効果的であり、これによってペットボトル等の収納による野菜室温度の上昇を効率よく抑制し、結露発生を効果的に防止すると同時に野菜の保存も良好に行うことができる。
【０１１４】
特にこの実施の形態では、野菜室ファン５３とともに野菜室８に設けた第一の野菜冷気吸込み口４７をも野菜収納ケース４８のペットボトル等収納部５９側の部分に設けた構成としてあるから、野菜室ファン５３から野菜冷気戻り口４６への冷気をペットボトル等収納部分にさらに効率よく集中的に循環させることができ、効果的である。
【０１１５】
また、野菜室８内の冷気を循環させるためのもう一つの吸込み口ともなる第二の野菜冷気吸込み口５１を野菜室ファン５３と略対角位置の野菜室上部に設けた構成としてあるから、野菜室ファン５３からの冷気は野菜収納ケース４８のペットボトル等収納部５９の底面部分を通って前方へと野菜室８内を斜めに縦断しながら拡散または及び循環して野菜室上部の第二の野菜冷気吸込み口５１へと流れる様になるので、下段野菜収納ケース４９ａ及び上段野菜収納ケース４９ｂからなる野菜室ケース内への冷気の入り込みを防止しつつ下段野菜収納ケース４９ａ及び上段野菜収納ケース４９ｂからなる野菜ケースの外周に広範囲に冷気を拡散または及び循環させることができ、野菜及びペットボトル等を効果的に冷却することができる。
【０１１６】
また、この冷蔵庫は、冷蔵冷気往き通路３２と冷蔵冷気戻り通路３３との間に連通路３９が形成してあり、野菜室ファン５３が回転するとその吸引力によって冷蔵冷気往き通路３２内の低温な新鮮冷気が冷蔵冷気戻り通路３３内に混入して戻り通路３８を介し野菜冷気入口４４から野菜室８内に供給される。すなわち、野菜室８は、冷蔵室７からの冷蔵室冷却後の比較的温度が高くなっている戻り冷気によって冷却されるが、この冷蔵庫では野菜室ファン５３の回転により前記冷蔵室冷却後の冷気に低温の新鮮冷気が混入して低温化された冷気で野菜室８を冷却することになる。したがって野菜室８を効果的に冷却することができ、例えば、野菜やペットボトル等が一時的に多く収納された時などのように冷却負荷条件が悪いときでも、野菜室８を確実に冷却することができる。また、上記連通路３９を介して取り込む低温の新鮮冷気の量は野菜室ファン５３の回転数を上げることによって増加させることができ、夏場で熱容量の大きい常温のペットボトル等が大量に収納された時でも、これを確実に冷却することができる。しかも野菜室８を確実に冷却できるので
、冷却室１６からの冷輻射による結露発生も効率よく抑制でき、野菜を良好な状態で冷却保存することができる。
【０１１７】
以上、本発明の実施の形態を説明してきたが、上記実施の形態で説明した構成は本発明を実施する一例として示したものであり、本発明の目的を達成する範囲で種々変更可能なことは言うまでもない。
【０１１８】
例えば、本実施の各形態では野菜室冷却モード及び野菜室冷却モードを強制的に実行、あるいは野菜室温度、野菜室温度の上昇度合い、外気温度等によって選択的に実行、あるいは所定時間ごとに実行する等、種々のパターンを例示したが、これは必要に応じて適宜選択すればよく、また今回例示した各パターンを組み合わせて制御するようにしてもよいものである。
【０１１９】
また、野菜室の冷却／冷却停止、すなわち野菜室８への冷気の供給／停止は、冷蔵室ダンパ３１を利用して行うようにしたが、野菜室専用の野菜室ダンパを設けて供給／停止を行わせるようにしてもよく、その場合には前記各実施の形態で示した（Ｓ２）を「野菜室ダンパ開？」とすればよい。
【０１２０】
また、冷蔵庫も、野菜室８を冷蔵室７と冷凍室９との間に設けた真ん中野菜タイプの冷蔵庫を例にして説明したが、これは野菜室８が最下部にあるタイプの冷蔵庫であっても野菜室８と冷凍室９の背面に渡って冷却室１６が設置されているものであればよいものである。
【０１２１】
更に圧縮機１５も冷蔵庫本体１の上部後方領域に設置したものを説明したが、これも実施の形態で説明したものに限られるものではなく、例えば圧縮機１５は冷蔵庫本体１の下部後方に設けてあってもよいものである。
【０１２２】
なお、野菜室８は、冷却室１６はもちろんこの実施の形態では冷却室１６の冷却ファン下流側の冷蔵室ダンパ３１までの冷却室冷気搬送路３０帯域がこの冷却室１６と同じ極低温帯の冷却室温度域となっていてこの冷蔵室ダンパ３１までの冷却室温度帯域と対向する部分で強い冷輻射を受けるものであり、本発明においてはこの冷却室冷気搬送路３０を含む冷却室温度帯域を冷却室１６とする。
【産業上の利用可能性】
【０１２３】
本発明にかかる冷蔵庫は、野菜室の冷却停止時に生じがちな野菜室内での結露発生を抑制すると同時に野菜室内を低温に冷却保持可能となり、良好な状態で野菜を冷却保存する信頼性の高い冷蔵庫とすることができて家庭用はもちろん業務用冷蔵庫にも幅広く適用することができる。
【符号の説明】
【０１２４】
１  冷蔵庫本体
７  冷蔵室
８  野菜室
９  冷凍室
１０，１１，１２  扉
１５  圧縮機
１６  冷却室
１７  奥面仕切壁体
１８  冷却器
１９  冷却ファン
２５  冷気戻り通路用開口
３０  冷却室冷気搬送路
３１  冷蔵室ダンパ
３２  冷蔵冷気往き通路
３３  冷蔵冷気戻り通路
３４  冷凍室ダンパ
３５  冷蔵冷気入口
３６  冷蔵冷気戻り口
３７  往き通路
３８  戻り通路
３９  連通路
４０  冷気戻りダクト
４２  冷凍冷気入口
４３  冷凍冷気戻り口
４４  野菜冷気入口
４６  野菜冷気戻り口
４７  第一の野菜冷気吸込み口
４７ａ  第一の通路
４８  野菜収納ケース
４９ａ  下段野菜収納ケース
４９ｂ  上段野菜収納ケース
５０  野菜室通路部
５１  第二の野菜冷気吸込み口
５１ａ  第二の通路
５２  第二の冷気循環路
５３  野菜室ファン
５９  非野菜収納部（ペットボトル等収納部）
６５  冷蔵室温度検知手段
６６  野菜室温度検知手段
６７  冷凍室温度検知手段
６８  制御部
【図１】
2015121387.tif 000003
【図２】
2015121387.tif 000004
【図３】
2015121387.tif 000005
【図４】
2015121387.tif 000006
【図５】
2015121387.tif 000007
【図６】
2015121387.tif 000008
【図７】
2015121387.tif 000009
【図８】
2015121387.tif 000010
【図９】
2015121387.tif 000011
【図１０】
2015121387.tif 000012
【図１１】
2015121387.tif 000013
【図１２】
2015121387.tif 000014
【図１３】
2015121387.tif 000015
【図１４】
2015121387.tif 000016
【図１５】
2015121387.tif 000017
【図１６】
2015121387.tif 000018
【図１７】
2015121387.tif 000019
【図１８】
2015121387.tif 000020
【図１９】
2015121387.tif 000021
【図２０】
2015121387.tif 000022
【図２１】
2015121387.tif 000023
【図２２】
2015121387.tif 000024
【図２３】
2015121387.tif 000025
【図２４】
2015121387.tif 000026
【図２５】
2015121387.tif 000027
【図２６】
2015121387.tif 000028
【図２７】
2015121387.tif 000029
【図２８】
2015121387.tif 000030
【図２９】
2015121387.tif 000031
【図３０】
2015121387.tif 000032
【図３１】
2015121387.tif 000033
【図３２】
2015121387.tif 000034
【図３３】
2015121387.tif 000035
【図３４】
2015121387.tif 000036
【図３５】
2015121387.tif 000037